(57)【要約】【課題】凹陥部領域１２と貫通孔１３を有する床用断熱材において、周囲の側枠１１に滞留する雨水を拭き取る作業を簡略化できる床用断熱材１０Ａを提供する。【解決手段】矩形状の外枠１１と外枠１１の上面から下方に凹陥する適数の凹陥部領域１２を有し、凹陥部領域１２の最下方部には貫通孔１３が形成されている発泡樹脂からなる床用断熱材１０Ａにおいて、前記外枠１１に適数の第２の貫通孔１６を形成する。【選択図】図１
2014169603.tif 000002
【特許請求の範囲】
【請求項１】
床下地の隣り合う横架材間に充填される発泡樹脂からなる床用断熱材であって、前記床用断熱材は、矩形状の外枠と該外枠に囲まれた内側領域とを有し、該内側領域には外枠の上面から下方に凹陥する適数の凹陥部領域が形成されており、該凹陥部領域の最下方部には貫通孔が形成されており、さらに、前記外枠には適数の第２の貫通孔が形成されていることを特徴とする床用断熱材。
【請求項２】
床下地の隣り合う横架材間に充填される発泡樹脂からなる床用断熱材であって、前記床用断熱材は、矩形状の外枠と、該外枠の対向する２辺に両端を接続する少なくとも１本の第１の内枠とを有し、前記外枠および第１の内枠に囲まれた内側領域には前記外枠および内枠の上面から下方に凹陥する適数の凹陥部領域が形成されており、該凹陥部領域の最下方部には貫通孔が形成されており、さらに、前記外枠および内枠の双方またはいずれか一方には適数の第２の貫通孔が形成されていることを特徴とする床用断熱材。
【請求項３】
床下地の隣り合う横架材間に充填される発泡樹脂からなる床用断熱材であって、前記床用断熱材は、矩形状の外枠と、該外枠の対向する２辺に両端を接続する少なくとも１本の第１の内枠と対向する他の２辺に両端を接続する少なくとも１本の第２の内枠とを備え、前記外枠および内枠に囲まれた内側領域には前記外枠および内枠の上面から下方に凹陥する適数の凹陥部領域が形成されており、該凹陥部領域の最下方部には貫通孔が形成されており、さらに、前記外枠および内枠の双方またはいずれか一方には適数の第２の貫通孔が形成されていることを特徴とする床用断熱材。
【請求項４】
請求項１〜３のいずれか一項に記載の床用断熱材であって、前記第２の貫通孔の一部または全部は上方に向けて次第に拡開する形状であることを特徴とする床用断熱材。
【請求項５】
請求項１〜４のいずれか一項に記載の床用断熱材であって、前記外枠の上面には前記第２の貫通孔に向けた凹溝が形成されていることを特徴とする床用断熱材。
【請求項６】
請求項１〜５のいずれか一項に記載の床用断熱材であって、前記矩形状の外枠には断面Ｖ字状の切り込み溝が形成されていることを特徴とする床用断熱材。
【発明の詳細な説明】
【技術分野】
【０００１】
本発明は床用断熱材に関し、特にプラットフォーム工法によって組み立てられる建物の床部の断熱施工に用いるのに好適な床用断熱材に関する。
【背景技術】
【０００２】
建物の床部の断熱性を向上させるために、床下地の隣り合う横架材間に、例えば樹脂発泡体からなる断熱材を充填し、その上に床合板を張り付けることが行われる。従来、この種の床用断熱材として単に平板状のものが用いられているが、例えばプラットフォーム工法といわれるような、屋根を仕上げる前に床部を仕上げることが求められる工法では、床用断熱材を床下地の横架材間に充填した後、その上に床合板を張り付けるまでの間に雨が降った場合に、床用断熱材の上面に雨水が滞留してしまう恐れがあった。
【０００３】
それを回避するための床用断熱材が特許文献１に記載されており、図６に示すように、その床用断熱材１０は、床下地の隣り合う横架材２０ａ、２０ｂ、２１ａ、２１ｂ間に充填される床用断熱材１０であって、矩形状の外枠１１と、該外枠１１に囲まれた内側領域を有し、該内側領域には外枠１１の上面から凹陥する形状とされた適数の凹陥部領域１２が形成されており、該凹陥部領域１２の最下方部には貫通孔１３が形成されている。
【０００４】
床下地の隣り合う横架材２０ａ、２０ｂ、２１ａ、２１ｂ間に上記の床用断熱材１０を充填するに際しては、横架材の適所に適数の留め金具３０を取り付ける。そして、図７に示すように、上方から床用断熱材１０を横架材内に押し込めていき、床用断熱材１０の外枠１１の底面が、横架材に固定した留め金具３０によって支持されることで、適正位置に充填される。その上に、適宜の床合板４０が取り付けられる。
【０００５】
上記の床用断熱材１０を用いることにより、プラットフォーム工法のように屋根を仕上げる前に床部を仕上げることが求められる工法において、床用断熱材１０を床下地の横架材間に充填した後、その上に床合板４０を張り付けるまでの間に雨が降った場合などにおいても、凹陥部領域１２に滞留する雨水は、凹陥部領域１２の最下方部に形成した貫通孔１３を通して排出されるので、雨水が床用断熱材１０の上面に滞留するのを確実に阻止することができる。
【先行技術文献】
【特許文献】
【０００６】
【特許文献１】特許第４８１８０７７号公報
【発明の概要】
【発明が解決しようとする課題】
【０００７】
図６に示す床用断熱材１０において、前記外枠１１の上面は平坦面であり、わずかとはいえその上に雨水が滞留する場合がある。その状態で床合板４０を張り付けると外枠１１の上面と床合板４０の裏面との間に雨水が残ることとなり、この水分を発泡樹脂である床用断熱材１０を通して床下などに蒸散させることは困難なことから、施工現場では、床合板４０を施工する直前に床用断熱材１０の外枠１１の上面をモップなどで完全に拭き取る作業を行っており、作業負担となっている。
【０００８】
本発明は、この作業負担を解消することを課題としており、より具体的には、外枠１１の上面から床合板４０側に移った水分が床用断熱材１０を通して蒸散できるようにすることで、施工時での床用断熱材１０の外枠１１の上面を拭き取る作業を省略する、あるいは簡略化することを可能とした、より改良された床用断熱材を提供することを課題とする。
【課題を解決するための手段】
【０００９】
本発明による床用断熱材の第１の形態は、床下地の隣り合う横架材間に充填される発泡樹脂からなる床用断熱材であって、前記床用断熱材は、矩形状の外枠と該外枠に囲まれた内側領域とを有し、該内側領域には外枠の上面から下方に凹陥する適数の凹陥部領域が形成されており、該凹陥部領域の最下方部には貫通孔が形成されており、さらに、前記外枠には適数の第２の貫通孔が形成されていることを特徴とする。
【００１０】
本発明による床用断熱材の第２の形態は、床下地の隣り合う横架材間に充填される発泡樹脂からなる床用断熱材であって、前記床用断熱材は、矩形状の外枠と、該外枠の対向する２辺に両端を接続する少なくとも１本の第１の内枠とを有し、前記外枠および第１の内枠に囲まれた内側領域には前記外枠および内枠の上面から下方に凹陥する適数の凹陥部領域が形成されており、該凹陥部領域の最下方部には貫通孔が形成されており、さらに、前記外枠および内枠の双方またはいずれか一方には適数の第２の貫通孔が形成されていることを特徴とする。
【００１１】
本発明による床用断熱材の第３の形態は、床下地の隣り合う横架材間に充填される発泡樹脂からなる床用断熱材であって、前記床用断熱材は、矩形状の外枠と、該外枠の対向する２辺に両端を接続する少なくとも１本の第１の内枠と対向する他の２辺に両端を接続する少なくとも１本の第２の内枠とを備え、前記外枠および内枠に囲まれた内側領域には前記外枠および内枠の上面から下方に凹陥する適数の凹陥部領域が形成されており、該凹陥部領域の最下方部には貫通孔が形成されており、さらに、前記外枠および内枠の双方またはいずれか一方には適数の第２の貫通孔が形成されていることを特徴とする。
【００１２】
いずれの形態の床用断熱材においても、外枠および／または内枠の上面にわずかに雨水が滞留している状態で、床合板の張り付け施工を行っても、その水分は床用断熱材の外枠に形成した適数の第２の貫通孔を通して迅速に床下空間内に蒸散し、外枠の上面と床合板裏面との間は容易に乾燥した状態となる。そのために、床合板の張り付け施工前に行う外枠の上面の雨水拭き取り作業を省略することができ、行うとしても完全に行うことは要求されなくなるので、床断熱の施工を簡素化することができる。
【００１３】
本発明による各形態の床用断熱材の一態様では、前記第２の貫通孔の一部または全部は上方に向けて次第に拡開する形状であることを特徴とする。この態様では、第２の貫通孔が床合板裏面側に開放している面積が広くなるので、水分蒸散の迅速化が図られる。
【００１４】
本発明による各形態の床用断熱材のさらに他の態様では、前記外枠の上面には前記第２の貫通孔に向けた凹溝が形成されていることを特徴とする。この態様では、蒸散水が凹溝を通って前記第２の貫通孔に流入しやすくなり、水分蒸散の迅速化が図られる。
【００１５】
本発明による各形態の床用断熱材のさらに他の態様では、前記矩形状の外枠には断面Ｖ字状の切り込み溝が形成されていることを特徴とする。この態様では、床下地の隣り合う横架材間に床用断熱材を充填するときに、断面Ｖ字状の切り込み溝が狭くなる方向に変形することができるので、充填が容易となる。また、横架材の側面と床用断熱材の側面との密着性もより良好なものとなる。
【発明の効果】
【００１６】
本発明によれば、施工時に、床用断熱材の外枠上面から雨水の拭き取り作業を省略することができ、行うとしても完全に行うことは要求されなくなるので、床断熱施工をさらに省力化することが可能となる。
【図面の簡単な説明】
【００１７】
【図１】第１の形態による床用断熱材の一態様を示す平面図と断面図。
【図２】第２の形態による床用断熱材の一態様を示す平面図と断面図。
【図３】第３の形態による床用断熱材の一態様を示す平面図と断面図。
【図４】床用断熱材のさらに他の態様を示す平面図と断面図。
【図５】床用断熱材のさらに他の態様の一部を示す平面図。
【図６】従来知られた床用断熱材を説明する図。
【図７】従来知られた床用断熱材を用いての床断熱施工を説明する図。
【発明を実施するための形態】
【００１８】
以下、図面を参照して、本発明の実施の形態を説明する。
【００１９】
［第１の形態］
図１は、本発明による床用断熱材の第１の形態を示しており、図１（ａ）は平面図、図１（ｂ）は図１（ａ）のｂ−ｂ線に沿う断面図である。また、図１（ｃ）は他の態様の床用断熱材を示す図１（ｂ）に相当する図である。
【００２０】
図示の例において、床用断熱材１０Ａは、全体として矩形状であり、例えば発泡性ポリスチレン粒子を型内発泡成形法のような手段で、一体成形されている。床用断熱材１０Ａは、外枠１１と、該外枠１１に囲まれた内側領域とを有し、内側領域には適数（図では９個）の凹陥部領域１２が形成されている。
【００２１】
各凹陥部領域１２は、前記外枠１１の上面と同じ高さの稜線１４によって区分けされている。各凹陥部領域１２の上面側は、外枠１１の上面または稜線１４の上端から内側に向けて下方向に傾斜する、４つの平坦な傾斜面１５で構成されおり、該４つの傾斜面１５の最下方領域には貫通孔１３が形成されている。各傾斜面１５の傾斜勾配は１／１０〜３／１０程度とされる。この例において、図１（ｂ）に示すように、外枠１１と凹陥部領域１２はほぼ同じ厚さであり、従って、各凹陥部領域１２の下面側も同じ勾配で傾斜しているが、上面が傾斜面となっていることを条件に、外枠１１と凹陥部領域１２の厚さが異なっていてもよい。なお、上記の形状は、図６に基づき説明した従来の床用断熱材１０と同じである。
【００２２】
本発明による床用断熱材１０Ａにおいては、前記外枠１１に、適数の第２の貫通孔１６が形成されている。第２の貫通孔１６の数は任意であるが、図のもので、各角部に１個、各辺にそれぞれ３個、計１４個の第２の貫通孔１６が形成されている。また、第２の貫通孔１６は、図１（ｂ）に示すように、同じ断面形状の垂直孔であってもよく、図１（ｃ）に示すように、上方に向けて次第に拡開する形状の貫通孔１６ａであってもよい。
【００２３】
一般に、床用断熱材１０Ａは、床下地の隣り合う横架材の間隔に合わせてあるいは少し広めに作られる。この例では、図６に示した床用断熱材１０と同様、大引きや土台（根太）等である隣り合う第１の横架材２０ａと２０ｂと、それに直交する方向の隣り合う第２の横架材２１ａと２１ｂとで形成される空間内に、隙間のない状態で充填される形状と大きさとされている。
【００２４】
横架材間に床用断熱材１０Ａを充填した後、床合板４０を張り付ける前に雨が降ったとする。雨水は、床用断熱材１０Ａの上面に形成されている傾斜面１５の勾配により下方に流下して貫通孔１３に至り、そこから床下に落下する。傾斜面１５はすべて下向きの傾斜であり、任意に傾斜勾配を取ることができるので、水が傾斜面１５に残留して滞留するのを効果的に排除することができる。
【００２５】
その際に、雨水の一部は前記外枠１１の上面にも滞留する場合があり、従来の床用断熱材１０（図６）を用いる場合には、外枠１１の上面に滞留する水滴を完全に拭き取る作業が必要とされている。本発明による床用断熱材１０Ａを用いる場合には、わずかな雨水が外枠１１の上面に滞留している状態で、図７に示すように、床合板４０の張り付けを行っても、外枠１１の上面と床合板４０の裏面の間に残っている水分（雨水）は、前記第２の貫通孔１６（１６ａ）を通って、床下空間に向けて蒸散する。そして、蒸散により、外枠１１の上面と床合板４０の裏面の間は迅速に乾燥した状態となる。そのために、床断熱施工において、外枠１１の上面に滞留する水滴を拭き取る作業を省略できるか、簡単にすませることができる。
【００２６】
図１（ｃ）に示すように、上方に向けて次第に拡開する形状の第２の貫通孔１６ａを有する床用断熱材１０Ａでは、第２の貫通孔１６ａの開口面が床合板４０の裏面に接する面積が広くなるので、残留水分の蒸散をより早くすることが可能となる。
【００２７】
［第２の形態］
図２は、本発明による床用断熱材の第２の形態を示しており、図２（ａ）は平面図、図２（ｂ）は図２（ａ）のｂ−ｂ線に沿う断面図、図２（ｃ）は図２（ａ）のｃ−ｃ線に沿う断面図である。
【００２８】
この床用断熱材１０Ｂは、外枠１１で囲まれる内側領域が、外枠１１の対向するＸ方向に延びる２辺１１ａ、１１ｂに両端を接続する２本の第１の内枠１５ｙ、１５ｙによって、３つの領域Ａ、Ｂ、Ｃに区分けされており、各領域Ａ、Ｂ、Ｃには、適数（それぞれ３個）の凹陥部領域１２が形成されている。そして、外枠１１と内枠１５ｙ、１５ｙの双方に、適数の第２の貫通孔１６が形成されている。凹陥部領域１２の構成は、床用断熱材１０Ａでの凹陥部領域１２と同じであり、対応する部分には同じ符号を付すことで、説明は省略する。外枠１１と第１の内枠１５ｙ、１５ｙに形成した第２の貫通孔１６の持つ作用効果も、床用断熱材１０Ａにおけると同様であり、説明は省略する。
【００２９】
この形態の床用断熱材１０Ｂは、２つの第２の内枠１５ｙ、１５ｙの双方またはいずれか一方の領域内の箇所で床用断熱材１０Ｂを裁断することにより、横幅が大きく異なる複数種の床用断熱材を得ることができ、施工現場での対応にバリエーションを持たせることができる利点がある。
【００３０】
［第３の形態］
図３は、本発明による床用断熱材の第３の形態を示しており、図３（ａ）は平面図、図３（ｂ）は図３（ａ）のｂ−ｂ線に沿う断面図、図３（ｃ）は図３（ａ）のｃ−ｃ線に沿う断面図である。
【００３１】
図３に示す床用断熱材１０Ｃは、図２に示した床用断熱材１０Ｂでの内枠１５が、Ｘ方向に延びる外枠１１ａ、１１ｂに両端を接続する第１の内枠１５ｙに加えて、Ｙ方向に延びる外枠１１ｃ、１１ｄに両端を接続する第２の内枠１５ｘをも備えている点で、床用断熱材１０Ｂと構成が異なっている。そして、外枠１１と第１の内枠１５ｙと第２の内枠１５ｘに、適数の第２の貫通孔１６が形成されている。凹陥部領域１２の構成は、床用断熱材１０Ａ、床用断熱材１０Ｂでの凹陥部領域１２と同じであり、対応する部分には同じ符号を付すことで、説明は省略する。また、外枠１１と内枠１５ｙ、１５ｘに形成した第２の貫通孔１６の持つ作用効果も、床用断熱材１０Ａ、床用断熱材１０Ｂと同様であり、説明は省略する。
【００３２】
この床用断熱材１０Ｃも、図７に基づき説明したように、床下地の隣り合う横架材の間隔に充填される。施工現場によって横架材間の間隔は一定でなく、施工現場における横架材間の間隔に適合するように、床用断熱材１０Ｃの周囲をカッターナイフや熱線等で適宜の幅で切断することが必要となる。例として、図３でＸ方向の線であるｂ−ｂ線に沿って切断する場合を考える。そのときの断面が図３（ｂ）に示される。切断面には、Ｙ方向に延びる外枠１１ｃ、１１ｄの断面１１ｃｓ、１１ｄｓと、第１の内枠１５ｙの断面１５ｙｓがかならず現れる。これは、前記ｂ−ｂ線をＹ方向のいずれの位置に設定しても同じであり、Ｙ方向での任意の幅に切断した床用断熱材１０Ｃが必要とされる場合でも、得られる切断後の床用断熱材１０Ｃの切断には、かならず、第１の内枠１５ｙの断面１５ｙｓが現れるようになる。
【００３３】
このことは、図３でＹ方向の線であるｃ−ｃ線に沿って切断する場合も同じであり、そのときの断面を図３（ｃ）に示すように、切断面には、Ｘ方向に延びる外枠１１ａ、１１ｂの断面１１ａｓ、１１ｂｓと、第２の内枠１５ｘの断面１５ｘｓがかならず現れる。これは、前記ｃ−ｃ線をＸ方向のいずれの位置に設定しても同じであり、Ｘ方向での任意の幅に切断した床用断熱材１０Ｃが必要とされる場合でも、得られる切断後の床用断熱材１０Ｃの切断面には、かならず、第２の内枠１５ｘの断面１５ｘｓが現れるようになる。
【００３４】
すなわち、施工現場の要望に合わせて、床用断熱材１０Ｃを、Ｘ方向、Ｙ方向、あるいはＸ方向とＹ方向と双方向で、適宜の大きさとなるように切断した場合でも、その切断面には、第１の内枠１５ｙの断面１５ｙｓおよび第２の内枠１５ｘの断面１５ｘｓのいずれか一方または双方が、かならず現れる。
【００３５】
そして、第１の内枠１５ｙの断面１５ｙｓおよび第２の内枠１５ｘの断面１５ｘｓの底面は平坦な水平面となっており、そのために、外枠１１の部分を固定するのに用いられる留め金具３０（図６参照）をそのまま用いて、任意の大きさに切断した床用断熱材１０Ｃを安定した状態で、床下地の隣り合う横架材の間に挿入することが可能となる。具体的には、挿入時に前記切断面が当接することとなる横架材における、挿入しようとする前記切断された床用断熱材１０Ｃの切断面に現れる第１の内枠１５ｙの断面１５ｙｓまたは第２の内枠１５ｘの断面１５ｘｓのいずれか一方または双方が位置することとなる部位に、外枠１１の部分を固定するのに用いる留め金具３０を固定することで、切断された床用断熱材１０Ｃを安定的に横架材間に挿入し固定することができる。
【００３６】
なお、この利点は、図２に示した第２の形態の床用断熱材１０Ｂでは、外枠１１のＸ方向の延びる２辺１１ａ、１１ｂに両端を接続する第１の内枠１５ｙのみを有し、Ｙ方向の延びる２辺１１ｃ、１１ｄに両端を接続する第２の内枠１５ｘを有しないことから、享受することはできない。
【００３７】
［他の態様−その１］
図４は、本発明による床用断熱材のさらに他の態様を示しており、図４（ａ）は平面図、図４（ｂ）は図４（ａ）のｂ−ｂ線に沿う断面図、図４（ｃ）は図４（ａ）のｃ−ｃ線に沿う断面図である。この態様の床用断熱材は、上記した第１〜第３の形態の床用断熱材において、その矩形状の外枠１１を構成する４辺の少なくともいずれか一つの辺に、長手方向全長にわたって断面Ｖ字状の切り込み溝がさらに形成されている点で、上記各形態の床用断熱材と相違する。この断面Ｖ字状の切り込み溝を有することで、図６に基づき説明したように、床下地の隣り合う横架材２０ａ、２０ｂ間に床用断熱材１０を充填するときに、断面Ｖ字状の切り込み溝が狭くなる方向に変形することで、充填作業が容易となる。また、横架材２０ａ、２０ｂの側面と床用断熱材の側面との密着性もより良好なものとなる。
【００３８】
図４では、図３に基づき説明した第３の形態の床用断熱材１０Ｃを基本形態とし、その１つの外枠１１ｄに前記断面Ｖ字状の切り込み溝５１を形成したものを示している。従って、図４に示す床用断熱材１０Ｄにおいて、第３の形態の床用断熱材１０Ｃにおけると同じ部材には同じ符号を付し、それらの説明は省略する。
【００３９】
図４に示す床用断熱材１０Ｄにおいて、外枠１１ｄは、他の３つの外枠１１ａ、１１ｂ、１１ｃよりも横幅が広くされている。そして、該外枠１１ｄの長手方向の全長にわたるようにして、該外枠１１ｄの側面１８と平行に、上方に向けて拡開する前記断面Ｖ字状の切り込み溝５１が形成されている。また、前記外枠１１ｄの側面１８も外側に向けて傾斜した姿勢となっている。そして、図４（ｃ）に示すように、前記断面Ｖ字状の切り込み溝５１の底面１９には、底面１９から裏面側に達する適数（図では２個）の第２の貫通孔１６が形成されており、前記底面１９は、各第２の貫通孔１６の位置が最下位となるように適数の傾斜面とされている。
【００４０】
なお、図４に示す床用断熱材１０Ｄにおいて、他の３つの外枠１１ａ、１１ｂ、１１ｃおよび内枠１５ｘ、１５ｙに形成されている第２の貫通孔１６の数および位置は、図３に示した第３の形態の床用断熱材１０Ｃとは相違するが、第２の貫通孔１６の数および位置が図示のものに限定されないことは、前記したとおりである。
【００４１】
図４に示す形態の床用断熱材１０Ｄは、第３の形態の床用断熱材１０Ｃと同じ作用効果を奏することができることに加えて、前記断面Ｖ字状の切り込み溝５１を備えることで、床下地の隣り合う横架材２０ａ、２０ｂ間に嵌め込み充填する作業が容易となる。また、充填後に外枠１１ｄの上面に滞留する水滴は、幅の狭くなった後の断面Ｖ字状の切り込み溝５１内に入り込み、傾斜した底面１９を流下して第２の貫通孔１６に至り、そこから床下空間に向けて蒸散する。
【００４２】
図示の例では、断面Ｖ字状の切り込み溝５１を形成する外枠１１ｄを、他の３つの外枠１１ａ、１１ｂ、１１ｃよりも横幅の広いものとしたが、断面Ｖ字状の切り込み溝５１を安定的に成形することができる場合には、他の３つの外枠１１ａ、１１ｂ、１１ｃと同じ横幅であってもよい。また、外枠１１ｄに限らず、他の３つの外枠１１ａ、１１ｂ、１１ｃのいずれかまたは全部を選択して断面Ｖ字状の切り込み溝５１を形成してもよい。
【００４３】
さらに、前記したように、図１に示した第１の形態の床用断熱材１０Ａおよび図２に示した第２の形態の床用断熱材１０Ｂの任意の外枠１１に断面Ｖ字状の切り込み溝５１を形成することもできる。いずれにおいても、強度的に可能な場合には、断面Ｖ字状の切り込み溝５１を形成した外枠１１の前記断面Ｖ字状の切り込み溝５１以外の箇所に、さらに第２の貫通孔１６を形成することもできる。断面Ｖ字状の切り込み溝５１の底面１９は長手方向に連続して傾斜する単純に傾斜であってもよく、平坦面であってもよい。
【００４４】
［他の態様−その２］
図５は、本発明による床用断熱材のさらに他の態様の一部を平面図で示している。この床用断熱材１０Ｅでは、外枠１１に形成した第２の貫通孔１６に向けて、外枠１１の上面に、適宜形状の凹溝１７が形成されている。図示の例で、前記凹溝１７は、床用断熱材１０Ｅを発泡成形するときの成形型に設けられる蒸気孔に形成されるスリット（例えば特開２００４−２０２８６８号公報参照）、または蒸気孔に着脱自在に取り付けられるスリット部材（例えば特開２００４−２３０８３５号公報参照）の形状が、成形品である床用断熱材１０Ｅ側に転写されることによって形成された凹溝であり、スリットの向きを、第２の貫通孔１６に向くようにして発泡成形を行うことで、図５に部分的に示すような床用断熱材１０Ｅを得ることができる。
【００４５】
凹溝１７はこれに限られず、図示しないが、第２の貫通孔１６に一端を開放する形状の凹溝、第２の貫通孔１６から放射方向に広がる凹溝、隣接する２個以上の第２の貫通孔１６に両端を接続する形状の凹溝、などであってもよい。なお、凹溝１７は、前記した床用断熱材１０Ａ〜床用断熱材１０Ｃのいずれにも形成することができる。いずれにおいても、このような凹溝１７を備えることで、外枠の上面１１の上面と床合板４０の裏面の間に存在する水分（雨水）の蒸散を迅速化させることができる。また、内枠１５に第２の貫通孔１６が形成される場合には、内枠１５に形成した第２の貫通孔１６に対しても、同様にして凹溝１７を形成するようにしてもよい。
【００４６】
［他の態様−その３］
図示しないが、外枠１１および／または内枠１５の上面における前記第２の貫通孔１６の周辺を、第２の貫通孔１６に向けて傾斜する傾斜面としてもよい。この態様でも、外枠１１および／または内枠１５の上面と床合板４０の裏面の間に存在する水分（雨水）の蒸散を迅速化させることができる。
【００４７】
［他の態様−その４］
図示しないが、界面活性剤を少なくとも床用断熱材１０の前記外枠１１の上面、および前記傾斜面１５に塗布することもできる。界面活性剤をコーティング、含浸または練り込んだ発泡性ポリスチレン粒子を用いて床用断熱材１０を型内発泡成形してもよい。
【符号の説明】
【００４８】
１０Ａ〜１０Ｃ…本発明による床用断熱材、
１１…外枠、
１２…凹陥部領域、
１３…貫通孔、
１４…稜線、
１５…凹陥部領域の傾斜面、
１６、１６ａ…外枠に形成した第２の貫通孔。
【図１】
2014169603.tif 000003
【図２】
2014169603.tif 000004
【図３】
2014169603.tif 000005
【図４】
2014169603.tif 000006
【図５】
2014169603.tif 000007
【図６】
2014169603.tif 000008
【図７】
2014169603.tif 000009